(57)【特許請求の範囲】
【請求項１】
記録媒体搬送路の下流方向に存在する曲面の曲率半径より小さい曲率半径の曲面を有する記録媒体搬送路を形成する第１の搬送ガイドと、
前記第１の搬送ガイドに対向して間隙を開けて配置され、記録媒体を前記間隙を通して搬送する第２の搬送ガイドと、
前記第２の搬送ガイドを変位させて前記記録媒体搬送路を開閉する変位装置と、
前記第１の搬送ガイドと前記第２の搬送ガイドとの前記間隙を搬送される記録媒体がジャムを起こしたことを検知するジャムセンサと、
前記ジャムセンサによりジャムが起きたと判定するとき前記変位装置に前記第２の搬送ガイドを変位させて前記記録媒体搬送路を開放させる制御部と、
を備える記録媒体分別装置。
【請求項２】
前記変位装置は、
前記第２の搬送ガイドを第１の搬送ガイドと反対の方向に変位させることにより記録媒体搬送路を開放する請求項１記載の記録媒体分別装置。
【請求項３】
前記変位装置は、
前記第２の搬送ガイドを記録媒体搬送方向に対して垂直方向外側に変位させることにより記録媒体搬送路を開放する請求項１記載の記録媒体分別装置。
【請求項４】
記録媒体を搬送する記録媒体搬送機構と、
記録媒体搬送路下流方向に存在する曲面の曲率半径より小さい曲率半径の曲面を有する記録媒体搬送路を形成する第１の搬送ガイドと、
前記第１の搬送ガイドに対向して間隙を開けて配置され、前記記録媒体を前記間隙を通して搬送する第２の搬送ガイドと、
前記第１の搬送ガイドの記録媒体搬送路下流方向に配置され、前記記録媒体を消色温度以上に加熱する加熱装置と、
前記第２の搬送ガイドを変位させて前記記録媒体搬送路を開閉する変位装置と、
前記第１の搬送ガイドと前記第２の搬送ガイドとの前記間隙を搬送される記録媒体がジャムを起こしたことを検知するジャムセンサと、
前記ジャムセンサによりジャムが起きたと判定するとき前記変位装置に前記第２の搬送ガイドを変位させて前記記録媒体搬送路を開放させる制御部と、
を備える消色装置。
【請求項５】
前記変位装置は、
前記第２の搬送ガイドを第１の搬送ガイドと反対の方向に変位させることにより記録媒体搬送路を開放する請求項４記載の消色装置。
【請求項６】
前記変位装置は、
前記第２の搬送ガイドを記録媒体搬送方向に対して垂直方向外側に変位させることにより記録媒体搬送路を開放する請求項４記載の消色装置。
【請求項７】
前記第１の搬送ガイドと前記第２の搬送ガイドとが形成する記録媒体搬送路に、前記記録媒体の有無を検知する第１のジャムセンサと、
前記第１の搬送ガイドと前記第２の搬送ガイドとが形成する記録媒体搬送路の記録媒体搬送方向下流に、前記記録媒体の有無を検知する第２のジャムセンサと、をさらに備え、
前記制御部は、
前記第１のジャムセンサが閾値時間以上の間記録媒体を検出し続け、前記第２のジャムセンサが閾値時間以上の間記録媒体を検出しないとき、前記第１の搬送ガイドと前記第２の搬送ガイドとが形成する記録媒体搬送路にてジャムが発生したと判定する請求項４記載の消色装置。
【請求項８】
前記第１の搬送ガイドと前記第２の搬送ガイドとが形成する記録媒体搬送路の入り口に投入ローラをさらに備え、
前記制御部は、
前記第１の搬送ガイドと前記第２の搬送ガイドとが形成する記録媒体搬送路にてジャムが発生したと判定したとき、
前記投入ローラを停止させ、
前記第２の搬送ガイドを開放し、
前記投入ローラを回転させて記録媒体を回収する請求項４記載の消色装置。
【請求項９】
記録媒体搬送路を形成する第１の搬送ガイドと前記記録媒体搬送路を開閉可能に第１の搬送ガイドと対向して設置される第２の搬送ガイドとが形成する、前記記録媒体搬送路の下流方向に存在する曲面の曲率半径より小さい曲率半径の曲面を有する前記記録媒体搬送路に記録媒体を投入し、
前記記録媒体搬送路にてジャム起こした記録媒体を、前記第２の搬送ガイドを開放して回収する消色装置の記録媒体分別方法。
【発明の詳細な説明】
【技術分野】
【０００１】
本発明の実施形態は、記録媒体分別装置、消色装置及び記録媒体分別方法に関する。
【背景技術】
【０００２】
資源の節約のため、消色可能な現像材を使用して画像形成を行うことがある。消色可能な現像材としては熱によって色が消えるトナー、インクなどがある。この消色可能な現像材によって画像形成された記録媒体は、消色装置によって加熱され、消色されたのちに再利用される。
【０００３】
しかし、消色装置に投入される使用済みの記録媒体はクリップやホチキスによって複数枚とめられていることがある。この複数枚とめられた記録媒体は搬送されると記録媒体搬送機構の途中にてジャムを起こし、消色装置の故障を引き起こす。
【０００４】
この点に関し、重送検知センサにより重送を検知する技術が提案されている。
【先行技術文献】
【特許文献】
【０００５】
【特許文献１】特許第３０６１３７７号公報
【発明の概要】
【発明が解決しようとする課題】
【０００６】
しかし、重送検知センサによって検知できない場合が存在する。従って、ジャムを引き起こす可能性のある記録媒体を効率よく分別する記録媒体分別装置、消色装置及び記録媒体分別方法が求められている。
【課題を解決するための手段】
【０００７】
上記の課題を解決するために、本発明の一実施形態は、記録媒体を搬送する記録媒体搬送機構と、記録媒体搬送路の下流方向に存在する曲面の曲率半径より小さい曲率半径の曲面を有する記録媒体搬送路を形成する第１の搬送ガイドと、第１の搬送ガイドに対向して間隙を開けて配置され、記録媒体を前記間隙を通して搬送する第２の搬送ガイドと、第１の搬送ガイドの記録媒体搬送路の下流方向に配置され、前記記録媒体を消色温度以上に加熱する加熱装置と、第２の搬送ガイドを変位させて記録媒体搬送路を開閉する変位装置と、第１の搬送ガイドと第２の搬送ガイドとの間隙を搬送される記録媒体がジャムを起こしたことを検知するジャムセンサと、ジャムセンサによりジャムが起きたと判定するとき変位機構に第２の搬送ガイドを変位させて記録媒体搬送路を開放させる制御部と、を備える消色装置を提供する。
【図面の簡単な説明】
【０００８】
【図１】第１の実施形態の記録媒体分別装置を含む消色装置の側面図である。
【図２】第１の実施形態の記録媒体分別装置の構造を示す斜視図である。
【図３】第１の実施形態の記録媒体分別装置内にてジャムが発生した時の様子を示す図である。
【図４】第１の実施形態の第２の搬送ガイドが開放された状態を示す図である。
【図５】第１の実施形態のジャムを起こした記録媒体の回収動作を示す図である。
【図６】第１の実施形態の消色装置の構成を示す図である。
【図７】第２の実施形態の記録媒体分別装置を含む消色装置の側面図である。
【図８】第２の実施形態の第１の搬送ガイドの構造を示す斜視図である。
【図９】第２の実施形態の第２の搬送ガイドの構造を示す斜視図である。
【図１０】第２の実施形態の記録媒体分別装置の構造を示す斜視図である。
【図１１】第２の実施形態の記録媒体分別装置のＸ４矢視図である。
【発明を実施するための形態】
【０００９】
以下、記録媒体分別装置、消色装置、及び記録媒体分別方法の一実施形態について、図面を用いて詳細に説明する。
【００１０】
本実施形態の消色装置は、記録媒体を搬送する記録媒体搬送機構と、記録媒体を消色温度以上に加熱する加熱ローラと、曲面を有する記録媒体搬送路を形成する第１の搬送ガイドと、第１の搬送ガイドに対向して間隙を開けて配置され、記録媒体を間隙を通して搬送する第２の搬送ガイドと、第２の搬送ガイドを変位させて記録媒体搬送路を開閉する変位装置と、第１の搬送ガイドと第２の搬送ガイドとの間隙を搬送される記録媒体がジャムを起こしたことを検知するジャムセンサと、ジャムセンサによりジャムが起きたと判定するとき変位機構に第２の搬送ガイドを変位させて記録媒体搬送路を開放させる制御部と、を備える。
【００１１】
（第１の実施形態）
図１は、第１の実施形態の記録媒体分別装置を含む消色装置１０の側面図である。図１に示すように、消色装置１０は、消色する記録媒体を載置する入口トレイ１０１と、入口トレイ１０１に載置された記録媒体を一枚ずつ取り出すピックアップローラ１０２と、記録媒体の通過を検知する通過センサ１０３と、記録媒体の重送を検知する重送センサ１０４と、記録媒体の厚さを検知する厚さセンサ１０５と、記録媒体を搬送する搬送ローラ１０６と、記録媒体を識別し、分別する記録媒体分別装置２００と、記録媒体を消色温度以上に加熱する加熱装置である加熱ローラ１０７と、記録媒体上の画像が消色されているかを検知する画像検知センサ１０８と、記録媒体の搬送路を切り替える切り替え装置１０９と、再利用可能な記録媒体を蓄積する再利用ボックス１１０と、再利用不可能な記録媒体を蓄積する廃棄ボックス１１１と、制御部と、を備える。
【００１２】
重送センサ１０４は例えば超音波を記録媒体の一方の面から他方の面に向けて通過させ、通過した超音波のレベルを出力する。制御部はこのレベルに基づいて重送を判定する。
【００１３】
厚さセンサ１０５は記録媒体にアクチュエータを当接させ、このアクチュエータの動きを永久磁石に伝え、永久磁石の動きを磁気センサによって検知し、記録媒体の厚みに応じた信号を出力する。制御部はこの出力信号に基づいて記録媒体の厚さを判定する。
【００１４】
加熱装置である加熱ローラ１０７は金属によって形成され、内部にヒータを有する。加熱ローラ１０７は記録媒体上の消色可能な現像材を消色温度以上に加熱して記録媒体を消色する。
【００１５】
加熱装置は記録媒体を消色温度以上に加熱できればよく、熱源は問わない。加熱装置は例えば、サーマルヘッド、ハロゲンヒーター、グラファイトヒーター、ＩＨ（Induction Heater）、発熱ランプを内蔵した熱伝導性材料によって形成されるローラなど、を採用できる。
【００１６】
加熱装置は記録媒体に接触せずに加熱する熱源を採用できる。
【００１７】
消色可能な現像材は、呈色性化合物、顕色剤、消色剤を含む。呈色性化合物は、例えばロイコ染料が挙げられる。顕色剤は、例えばフェノール類が挙げられる。消色剤は、加熱されると呈色性化合物と相溶し、顕色剤と親和性を有さない物質が挙げられる。
【００１８】
消色可能な現像材は、呈色性化合物と顕色剤との相互作用により発色し、消色温度以上の加熱により呈色性化合物と顕色剤との相互作用が絶たれるため、消色する。
【００１９】
画像検知センサ１０８は、例えばラインセンサ、ＣＭＯＳセンサなどの光学画像センサを用いることができる。画像検知センサ１０８の出力はＡ／Ｄコンバータによりディジタルデータに変換され、制御部に出力される。
【００２０】
制御部は、このディジタルデータに基づいて、消色されなかった画像が記録媒体上に存在するかを判定する。
【００２１】
消色されなかった画像が存在することにより再利用不可能と判定された記録媒体は、切り替え装置１０９によって切り替えられた記録媒体搬送路を経由して廃棄ボックス１１１に蓄積される。
【００２２】
記録媒体分別装置２００は、第２の搬送ガイド２０２と、記録媒体分別装置２００の記録媒体搬送路に設置され、記録媒体の有無を検知する第１ジャムセンサ２０３と、第２の搬送ガイド２０２の記録媒体搬送方向下流に設置され、記録媒体の有無を検知する第２ジャムセンサ２０４と、を備える。
【００２３】
記録媒体分別装置２００は、加熱ローラ１０７の記録媒体搬送方向上流に設置される。
【００２４】
図２は、第１の実施形態の記録媒体分別装置２００の構造を示す斜視図である。図２に示すように、記録媒体分別装置２００は凸型形状をなし、記録媒体搬送路の一方の面をなす第１の搬送ガイド２０２Ａと、第１の搬送ガイド２０２Ａの外側を覆うように、第１の搬送ガイド２０２Ａに対向して配置され、記録媒体搬送路の他の面をなす第２の搬送ガイド２０２Ｂと、第２の搬送ガイド２０２Ｂを第１の搬送ガイド２０２Ａの方向に往復移動させる変位装置２０２Ｃと、を備える。
【００２５】
記録媒体は第１の搬送ガイド２０２Ａと第２の搬送ガイド２０２Ｂとの間隙を搬送される。
【００２６】
記録媒体分別装置２００は、記録媒体分別装置２００の記録媒体搬送路下流方向に存在するどの曲面の曲率半径より小さい曲率半径ｒを有する第１の搬送ガイド２０２Ａと、この第１の搬送ガイド２０２Ａとともに記録媒体搬送路を形成し、この記録媒体搬送路を開閉可能に設置される第２の搬送ガイド２０２Ｂと、この第２の搬送ガイド２０２Ｂを開閉させる変位装置２０２Ｃと、を備える。
【００２７】
記録媒体分別装置２００の記録媒体搬送路は第１の搬送ガイド２０２Ａの凸部に沿って曲面をなしている。すなわち、記録媒体分別装置２００の記録媒体搬送路は第１の搬送ガイド２０２Ａの凸部の曲率半径ｒと等しい曲面を描く。この曲率半径ｒは、記録媒体分別装置２００の記録媒体搬送路下流方向に存在するどの曲面の曲率半径より小さい。
【００２８】
記録媒体がジャムを起こすのは、記録媒体搬送路の曲面の部分である。曲面の曲率半径が小さいほどジャムは起こりやすい。ここで、記録媒体分別装置２００の記録媒体搬送路の曲面の曲率半径ｒは記録媒体分別装置２００の記録媒体搬送路下流方向に存在するどの曲面の曲率半径より小さい。従って、記録媒体分別装置２００が有する曲面を通過できる記録媒体は、記録媒体分別装置２００より下流の曲面をジャムを起こさずに通過できる。
【００２９】
図３は、第１の実施形態の記録媒体分別装置２００内にてジャムが発生した時の様子を示す図である。図３に示すように、記録媒体分別装置２００の入り口に設置される投入ローラ２０２Ｄは記録媒体Ｐを記録媒体分別装置２００内に搬送する。
【００３０】
第１ジャムセンサ２０３及び第２ジャムセンサ２０４は、記録媒体の有無を検知し、信号を制御部に出力する。制御部は第１ジャムセンサ２０３が記録媒体を検知し、第２ジャムセンサ２０４が記録媒体を検知しない状態があらかじめ定められる閾値時間以上継続する場合、ジャムが発生したと判定する。
【００３１】
制御部は、ジャムが発生したと判定した場合、投入ローラ２０２Ｄの駆動を停止する。
【００３２】
図４は、第１の実施形態の第２の搬送ガイド２０２Ｂが開放された状態を示す図である。図４に示すように、制御部は、記録媒体分別装置２００内にてジャムが発生したと判定した場合、変位装置２０２Ｃのソレノイドを駆動させて第２の搬送ガイド２０２Ｂを第１の搬送ガイド２０２Ａと反対の方向、すなわち矢印Ｘ１方向に変位させて記録媒体搬送路を開放する。
【００３３】
図５は、第１の実施形態のジャムを起こした記録媒体の回収動作を示す図である。図５に示すように、制御部は投入ローラ２０２Ｄを駆動させてジャムを起こした記録媒体を下方の回収ボックスに、矢印Ｘ２方向に落下させる。
【００３４】
次に、制御部は、第１ジャムセンサ２０３が記録媒体を検出しないとき、変位装置２０２Ｃのソレノイドを駆動させて第２の搬送ガイド２０２Ｂを矢印Ｘ１方向と反対の方向に変位させて記録媒体搬送路を閉じる。
【００３５】
制御部は投入ローラ２０２Ｄを一定時間駆動させても第１ジャムセンサ２０３が記録媒体を検出しているときは、故障と判定してコントロールパネル４０２にその旨を表示する。
【００３６】
図６は、第１の実施形態の消色装置１０の構成を示す図である。図６に示すように、消色装置１０は、制御部であるメインＣＰＵ４０１と、表示装置であるコントロールパネル４０２と、記憶装置であるＲＯＭ・ＲＡＭ４０３と、を備える。
【００３７】
また、メインＣＰＵ４０１は、加熱ローラ１０７と、重送センサ１０４と、厚さセンサ１０５と、第１ジャムセンサ２０３と、第２ジャムセンサ２０４と、記録媒体を搬送する記録媒体搬送装置２０８と、変位装置２０２Ｃとに接続する。
【００３８】
以上のべたように、本実施形態の消色装置１０は、記録媒体搬送路下流方向に存在するどの曲面の曲率半径より小さい曲率半径ｒを有する第１の搬送ガイド２０２Ａと、この第１の搬送ガイド２０２Ａとともに記録媒体搬送路を形成し、この記録媒体搬送路を開閉可能に設置される第２の搬送ガイド２０２Ｂと、この第２の搬送ガイド２０２Ｂを開閉させる変位装置２０２Ｃと、を備える記録媒体分別装置２００と、制御部と、を有し、制御部は、この記録媒体分別装置２００内にてジャムが発生したと判定したとき、第２の搬送ガイド２０２Ｂを開放してジャムを起こした記録媒体を回収する。
【００３９】
従って、ジャムを引き起こす可能性のある記録媒体を効率よく分別することができるという効果がある。
【００４０】
（第２の実施形態）
図７は、第２の実施形態の記録媒体分別装置を含む消色装置１０の側面図である。図７に示すように、消色装置１０は、消色する記録媒体を載置する入口トレイ１０１と、入口トレイ１０１に載置された記録媒体を一枚ずつ取り出すピックアップローラ１０２と、記録媒体の通過を検知する通過センサ１０３と、記録媒体の重送を検知する重送センサ１０４と、記録媒体の厚さを検知する厚さセンサ１０５と、記録媒体を搬送する搬送ローラ１０６と、記録媒体を識別し、分別する記録媒体分別装置３００と、記録媒体を消色温度以上に加熱する加熱ローラ１０７と、記録媒体上の画像が消色されているかを検知する画像検知センサ１０８と、記録媒体の搬送路を切り替える切り替え装置１０９と、再利用可能な記録媒体を蓄積する再利用ボックス１１０と、再利用不可能な記録媒体を蓄積する廃棄ボックス１１１と、制御部と、を備える。
【００４１】
重送センサ１０４、厚さセンサ１０５、加熱ローラ１０７、及び画像検知センサ１０８の構成及び動作は第１の実施形態における重送センサ１０４、厚さセンサ１０５、加熱ローラ１０７、及び画像検知センサ１０８の構成及び動作と同様である。
【００４２】
記録媒体分別装置３００は、第２の搬送ガイド３０２と、記録媒体分別装置３００の記録媒体搬送路に設置される第１ジャムセンサ２０３と、第２の搬送ガイド３０２の記録媒体搬送方向下流に設置される第２ジャムセンサ２０４と、を備える。
【００４３】
記録媒体分別装置３００は、加熱ローラ１０７の記録媒体搬送方向上流に設置される。
【００４４】
図８は、第２の実施形態の第１の搬送ガイド３０２Ａの構造を示す斜視図である。図８に示すように、記録媒体分別装置３００は凸型形状をなし、記録媒体搬送路の一方の面をなす第１の搬送ガイド３０２Ａを備える。
【００４５】
図９は、第２の実施形態の第２の搬送ガイド３０２Ｂの構造を示す斜視図である。図９に示すように、記録媒体分別装置３００は第１の搬送ガイド３０２Ａの外側を覆うように、第１の搬送ガイド３０２Ａに対向して配置され、記録媒体搬送路の他の面をなす第２の搬送ガイド３０２Ｂと、第２の搬送ガイド３０２Ｂを記録媒体搬送方向と垂直方向、すなわち矢印Ｘ３方向に往復移動させる変位装置３０２Ｃと、を備える。
【００４６】
記録媒体は第１の搬送ガイド３０２Ａと第２の搬送ガイド３０２Ｂとの間隙を搬送される。
【００４７】
変位装置３０２Ｃは、モータ３０３と、モータ３０３に接続される歯車３０３Ａと、歯車３０３Ａとかみ合う歯を有し、第２の搬送ガイド３０２Ｂに設置されるプレート３０２Ｂ１と、を備える。
【００４８】
変位装置３０２Ｃは、正転又は反転することにより第２の搬送ガイド３０２Ｂを開放させ、又は閉じる。
【００４９】
図１０は、第２の実施形態の記録媒体分別装置３００の構造を示す斜視図である。図１０に示すように、記録媒体分別装置３００は、二組の第１の搬送ガイド３０２Ａ及び第２の搬送ガイド３０２Ｂを備える。記録媒体は矢印Ｘ４の方向に、第１の搬送ガイド３０２Ａと第２の搬送ガイド３０２Ｂとによって形成される搬送路を搬送される。
【００５０】
図１１は、第２の実施形態の記録媒体分別装置３００のＸ４矢視図である。図１１に示すように、第２の搬送ガイド３０２Ｂは記録媒体搬送路内側に向かって、下方に傾斜している。
【００５１】
従って、第２の搬送ガイド３０２Ｂが開放されたときにジャムを起こした記録媒体をより効率よく落下させることができる。
【００５２】
記録媒体分別装置３００は、記録媒体分別装置３００の記録媒体搬送路下流方向に存在するどの曲面より小さい曲率半径ｒを有する第１の搬送ガイド３０２Ａと、この第１の搬送ガイド３０２Ａとともに記録媒体搬送路を形成し、この記録媒体搬送路を開閉可能に設置される第２の搬送ガイド３０２Ｂと、この第２の搬送ガイド３０２Ｂを開閉させる変位装置３０２Ｃと、を備える。
【００５３】
記録媒体分別装置３００の記録媒体搬送路は第１の搬送ガイド３０２Ａの凸部に沿って曲面をなしている。すなわち、記録媒体分別装置３００の記録媒体搬送路は第１の搬送ガイド３０２Ａの凸部の曲率半径ｒと等しい曲面を描く。この曲率半径ｒは、記録媒体分別装置３００の記録媒体搬送路下流方向に存在するどの曲面の曲率半径より小さい。
【００５４】
記録媒体がジャムを起こすのは、記録媒体搬送路の曲面の部分である。曲面の曲率半径が小さいほどジャムは起こりやすい。ここで、記録媒体分別装置３００の記録媒体搬送路の曲面の曲率半径ｒは記録媒体分別装置３００の記録媒体搬送路下流方向に存在するどの曲面の曲率半径より小さい。従って、記録媒体分別装置３００が有する曲面を通過できる記録媒体は、記録媒体分別装置３００より下流の曲面をジャムを起こさずに通過できる。
【００５５】
記録媒体分別装置３００内にてジャムが発生した場合について説明する。記録媒体分別装置３００の入り口に設置される投入ローラは記録媒体Ｐを記録媒体分別装置３００内に搬送する。
【００５６】
第１ジャムセンサ２０３及び第２ジャムセンサ２０４は、記録媒体の有無を検知し、信号を制御部に出力する。制御部は第１ジャムセンサ２０３が記録媒体を検知し、第２ジャムセンサ２０４が記録媒体を検知しない状態があらかじめ定められる閾値時間以上継続する場合、ジャムが発生したと判定する。
【００５７】
制御部は、ジャムが発生したと判定した場合、投入ローラの駆動を停止する。制御部は、記録媒体分別装置３００内にてジャムが発生したと判定した場合、変位装置３０２Ｃのモータ３０３を駆動させて第２の搬送ガイド３０２Ｂを記録媒体搬送方向に対して垂直方向外側に変位させて記録媒体搬送路を開放する。
【００５８】
制御部は投入ローラを駆動させてジャムを起こした記録媒体を下方の回収ボックスに落下させる。
【００５９】
次に、制御部は、第１ジャムセンサ２０３が記録媒体を検出しないとき、変位装置３０２Ｃのモータ３０３を駆動させて第２の搬送ガイド３０２Ｂを記録媒体搬送方向に対して垂直方向内側に変位させて記録媒体搬送路を閉じる。
【００６０】
制御部は投入ローラを一定時間駆動させても第１ジャムセンサ２０３が記録媒体を検出しているときは、故障と判定してコントロールパネル４０２にその旨を表示する。
【００６１】
なお、消色装置１０の構成は図６に示す第１の実施形態における消色装置１０の構成と同様である。
【００６２】
以上のべたように、本実施形態の消色装置１０は、記録媒体搬送路下流方向に存在するどの曲面の曲率半径より小さい曲率半径ｒを有する第１の搬送ガイド３０２Ａと、この第１の搬送ガイド３０２Ａとともに記録媒体搬送路を形成し、この記録媒体搬送路を開閉可能に設置される第２の搬送ガイド３０２Ｂと、この第２の搬送ガイド３０２Ｂを開閉させる変位装置３０２Ｃと、を備える記録媒体分別装置３００と、制御部と、を有し、制御部は、この記録媒体分別装置３００内にてジャムが発生したと判定したとき、第２の搬送ガイド３０２Ｂを記録媒体搬送方向に対して垂直方向外側に開放してジャムを起こした記録媒体を回収する。
【００６３】
従って、ジャムを引き起こす可能性のある記録媒体を効率よく分別することができる消色装置１０をより小型化できるという効果がある。
【００６４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６５】
３００：記録媒体分別装置
３０２Ａ：第１の搬送ガイド
３０２Ｂ：第２の搬送ガイド
【図１】
0005555645.tif 000002
【図２】
0005555645.tif 000003
【図３】
0005555645.tif 000004
【図４】
0005555645.tif 000005
【図５】
0005555645.tif 000006
【図６】
0005555645.tif 000007
【図７】
0005555645.tif 000008
【図８】
0005555645.tif 000009
【図９】
0005555645.tif 000010
【図１０】
0005555645.tif 000011
【図１１】
0005555645.tif 000012